(57)【要約】【課題】本発明の目的は電圧を利用して画素セルを予備充電することで望む階調の画像を表示するようにしたエレクトロルミネセンス表示装置及びその駆動方法を提供するものである。【解決手段】本発明のエレクトロルミネセンス表示装置は、ゲートラインと、ゲートラインと交差するように形成されたデータラインと、ゲートライン及びデータラインの交差部ごとに形成される画素セルと、１水平期間単位にゲート信号をゲートラインで順次供給するためのゲートドライバーと、１水平期間の第１期間の間、画素セルで電圧信号を供給すると共に第１水平期間の第１期間を除いた第２期間の間、画素セルから電流信号の供給を受ける複数のデータ集積回路を具備する。【選択図】図６
2005196116.tif 000002
【特許請求の範囲】
【請求項１】
ゲートラインと、
前記ゲートラインと交差するように形成されたデータラインと、
前記ゲートライン及びデータラインの交差部ごとに形成される画素セルと、
各１水平期間にゲート信号を前記ゲートラインに順次供給するためのゲートドライバーと、
前記１水平期間の第１期間の間、前記画素セルに電圧信号を供給すると共に前記第１水平期間の第１期間を除いた第２期間の間、前記画素セルから電流信号の供給を受ける複数のデータ集積回路と
を具備することを特徴とするエレクトロルミネセンス表示装置。
【請求項２】
前記第１期間は、前記第２期間より短く設定される
ことを特徴とする請求項１記載のエレクトロルミネセンス表示装置。
【請求項３】
前記複数のデータ集積回路のそれぞれは、
供給されるデータに対応する電圧信号を前記データラインに供給するための電圧駆動部と、
前記データに対応する前記電流信号が前記画素セルから供給されるようにする電流駆動部と
を具備することを特徴とする請求項１記載のエレクトロルミネセンス表示装置。
【請求項４】
前記電圧信号が生成されるように前記電圧駆動部に複数の電圧レベルを有するガンマ電圧値を供給するガンマ電圧部をさらに具備する
ことを特徴とする請求項３記載のエレクトロルミネセンス表示装置。
【請求項５】
前記電圧駆動部は、
前記データ集積回路がｉ（ｉは自然数）チャンネルを有する時、ｉブロック有し、前記データに対応する電圧信号を生成する電圧駆動ブロックと、
前記電圧駆動ブロックと前記データラインとのそれぞれの間に設置されて、外部から供給される制御信号の第１極性によりターンオンされる第１スイッチング部と
を具備することを特徴とする請求項３記載のエレクトロルミネセンス表示装置。
【請求項６】
前記電流駆動部は、
ｉブロック有し、前記データに対応して前記電流信号が供給されるようにする電流駆動ブロックと、
前記電流駆動ブロックと前記データラインのそれぞれの間に設置されて、前記制御信号の第２極性によりターンオンされる第２スイッチング部と
を具備することを特徴とする請求項５記載のエレクトロルミネセンス表示装置。
【請求項７】
前記制御信号は、前記第１期間の間、第１極性を維持し、前記第２期間の間、第２極性を維持する
ことを特徴とする請求項６記載のエレクトロルミネセンス表示装置。
【請求項８】
前記電圧信号は、前記画素セルに含まれたストレージキャパシターに充電される
ことを特徴とする請求項３記載のエレクトロルミネセンス表示装置。
【請求項９】
ゲート信号を供給して特定の水平ラインに設置された画素セルを選択する段階と、
第１期間の間、データに対応する電圧値を前記画素セルに供給して、前記画素セルを予備充電する段階と、
前記第１期間以後の第２期間の間、前記画素セルから前記データに対応する電流値が流れるようにして、前記データに対応する画像を表示する段階と
を含むエレクトロルミネセンス表示装置の駆動方法。
【請求項１０】
前記第１期間と第２期間は、１水平期間ごとに繰り返される
ことを特徴とする請求項９記載のエレクトロルミネセンス表示装置の駆動方法。
【請求項１１】
前記第１期間は、前記第２期間より短く設定される
ことを特徴とする請求項１０記載のエレクトロルミネセンス表示装置の駆動方法。
【請求項１２】
ゲートドライバーから１水平期間単位にゲート信号を供給して、特定の水平ラインに設置された画素セルを選択する段階と、
前記１水平期間の第１期間の間、電圧駆動部からのデータに対応する電圧値を前記画素セルに供給する段階と、
前記１水平期間の第１期間を除いた第２期間の間、電流駆動部からの前記データに対応する電流が前記画素セルから供給されるようにする段階と
を含むことを特徴とするエレクトロルミネセンス表示装置の駆動方法。
【請求項１３】
前記電圧値を前記画素セルに供給する段階は、前記データに対応して複数の電圧値の中からいずれかの電圧値を選択して前記画素セルに供給する
ことを特徴とする請求項１２記載のエレクトロルミネセンス表示装置の駆動方法。
【請求項１４】
前記第１期間は、前記第２期間より短く設定される
ことを特徴とする請求項１２記載のエレクトロルミネセンス表示装置の駆動方法。
【発明の詳細な説明】
【技術分野】
【０００１】
本発明は、エレクトロルミネセンス表示装置及びその駆動方法に関するもので、特に、電圧を利用して画素セルを予備充電することで望む階調の画像を表示するようにしたエレクトロルミネセンス表示装置及びその駆動方法に関するものである。
【背景技術】
【０００２】
最近、陰極線管（Ｃａｔｈｏｄｅ  Ｒａｙ  Ｔｕｂｅ）の短所である重さと大きさを減らすことができる各種平板表示装置が開発されている。このような平板表示装置としては、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）及びエレクトロルミネセンス（Ｅｌｅｃｔｒｏ−Ｌｕｍｉｎｅｓｃｅｎｃｅ；以下、“ＥＬ”という）表示装置等がある。
【０００３】
ここで、ＥＬ表示装置は、電子と正孔の再結合で蛍光物質を発光させる自発光素子として、材料及び構造によって無機ＥＬと有機ＥＬに対別される。このＥＬ表示装置は、液晶表示装置のように別途の光源を要する受動型発光素子に比べて陰極線管のような早い回答速度を有する長所を有している。
【０００４】
図１は、ＥＬ表示装置の発光原理を説明するための一般的な有機ＥＬ構造を示した断面図である。ＥＬ表示装置の中、有機ＥＬは、陰極２と陽極１４の間に積層された電子注入層４、電子輸送層６、発光層８、正孔輸送層１０、正孔注入層１２を具備する。
【０００５】
透明電極である陽極１４と金属電極である陰極２の間に電圧を印加すれば、陰極２から発生した電子は、電子注入層４及び電子輸送層６を通じて発光層８の方に移動する。尚、陽極１４から発生した正孔は、正孔注入層１２及び正孔輸送層１０を通じて発光層８の方に移動する。これによって、発光層８においては、電子輸送層６と正孔輸送層１０から供給されられた電子と正孔が衝突して再結合することにより光が発生するようになり、この光は、透明電極である陽極１４を通じて外部に放出されて画像が表示されるようになる。
【０００６】
図２は、従来のアクティブマトリックス型（Ａｃｔｉｖｅ  Ｍａｔｒｉｘ  Ｔｙｐｅ）ＥＬ表示装置を示した図面である。
【０００７】
図２を参照すれば、従来のＥＬ表示装置は、ゲート電極ラインＧＬとデータ電極ラインＤＬの交差部ごとに配列された画素（以下、“ＰＥ”という）セル２２を含むＥＬ表示パネル１６と、ゲート電極ラインＧＬを駆動するためのゲートドライバー１８と、データ電極ラインＤＬを駆動するためのデータドライバー２０と、ゲートドライバー１８及びデータドライバー２０を制御するためのタイミングコントローラ２４を具備する。
【０００８】
タイミングコントローラ２４は、データドライバー２０及びゲートドライバー１８を制御する。このため、タイミングコントローラ２４は、各種制御信号をデータドライバー２０及びゲートドライバー１８に供給する。また、タイミングコントローラ２４は、データを再整列してデータドライバー２０に供給する。
【０００９】
ゲートドライバー１８は、タイミングコントローラ２４の制御によりゲート電極ラインＧＬに順次ゲート信号を供給する。
【００１０】
データドライバー２０は、タイミングコントローラ２４の制御によりビデオ信号をデータ電極ラインＤＬに供給する。この時、データドライバー２０は、ゲート信号が供給される１水平期間１Ｈの間、１水平ライン分のビデオ信号をデータ電極ラインＤＬに供給する。
【００１１】
ＰＥセル２２は、データ電極ラインＤＬに供給されるビデオ信号（すなわち、電流信号）に対応する光を発光することでビデオ信号に対応する画像を表示する。このため、ＰＥセル２２のそれぞれは、図３のように、データ電極ラインＤＬとゲート電極ラインＧＬのそれぞれから供給される駆動信号により発光セルＯＬＥＤを駆動させるための発光セル駆動回路３０と、発光セル駆動回路３０と基底電圧源ＧＮＤの間に接続される発光セルＯＬＥＤを具備する。
【００１２】
発光セル駆動回路３０は、電圧供給ラインＶＤＤと発光セルＯＬＥＤの間に接続された第１駆動薄膜トランジスタ（Ｔｈｉｎ  Ｆｉｌｍ  Ｔｒａｎｓｉｓｔｏｒ（ＴＦＴ）；以下、“トランジスタ”という）Ｔ１と、ゲート電極ラインＧＬとデータ電極ラインＤＬの間に接続された第１スイッチングトランジスタＴ３と、第１スイッチングトランジスタＴ３と電圧供給ラインＶＤＤの間に接続されて第１駆動トランジスタＴ１と電流ミラー回路を形成する第２駆動トランジスタＴ２と、ゲート電極ラインＧＬと第２駆動トランジスタＴ２の間に接続される第２スイッチングトランジスタＴ４と、第１及び第２駆動トランジスタＴ１、Ｔ２の間のノードと電圧供給ラインＶＤＤの間に接続されたストレージキャパシターＣｓｔを具備する。ここで、トランジスタは、Ｐタイプ電子金属酸化膜半導体電界効果トランジスタ（ＭＯＳＦＥＴ、Ｍｅｔａｌ−Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）に設定される。
【００１３】
第１駆動トランジスタＴ１のゲート端子は、第２駆動トランジスタＴ２のゲート端子に接続されて、ソース端子は電圧供給ラインＶＤＤに接続される。また、第１駆動トランジスタＴ１のドレーン端子は、発光セルＯＬＥＤに接続される。第２駆動トランジスタＴ２のソース端子は、電圧供給ラインＶＤＤに接続されて、ドレーン端子は、第１スイッチングトランジスタＴ３のドレーン端子と第２スイッチングトランジスタＴ４のソース端子に接続される。
【００１４】
第１スイッチングトランジスタＴ３のソース端子は、データ電極ラインＤＬに接続されて、ゲート端子は、ゲート電極ラインＧＬに接続される。第２スイッチングトランジスタＴ４のドレーン端子は、第１及び第２駆動トランジスタＴ１、Ｔ２のゲート端子及びストレージキャパシターＣｓｔに接続される。また、第２スイッチングトランジスタＴ４のゲート端子は、ゲート電極ラインＧＬに接続される。
【００１５】
ここで、第１及び第２駆動トランジスタＴ１、Ｔ２は、電流ミラーを形成されるように接続される。したがって、第１及び第２駆動トランジスタＴ１、Ｔ２が同一なチャンネル幅を有すると仮定すれば第１及び第２駆動トランジスタＴ１、Ｔ２に流れる電流量は同一に設定される。
【００１６】
このような発光セル駆動回路３０の動作過程を説明すれば、まず、水平ラインを成すゲート電極ラインＧＬからゲート信号が供給される。ゲート信号が供給されれば第１及び第２スイッチングトランジスタＴ３、Ｔ４がターンオンされる。第１及び第２スイッチングトランジスタＴ３、Ｔ４がターンオンされると、データ電極ラインＤＬからのビデオ信号が第１及び第２スイッチングトランジスタＴ３、Ｔ４を経由して第１及び第２駆動トランジスタＴ１、Ｔ２のゲート端子に供給される。この時、ビデオ信号の供給を受けた第１及び第２駆動トランジスタＴ１、Ｔ２がターンオンされる。ここで、第１駆動トランジスタＴ１は、ゲート端子に供給されるビデオ信号によりソース端子（すなわち、ＶＤＤ）からドレーン端子に流れる電流を調節して発光セルＯＬＥＤで供給することで発光セルＯＬＥＤからビデオ信号に対応する輝度の光が発光されるように制御する。
【００１７】
同時に、第２駆動トランジスタＴ２は、電圧供給ラインＶＤＤから供給される電流ｉｄを第１スイッチングトランジスタＴ３を経由してデータ電極ラインＤＬに供給する。ここで、第１及び第２駆動トランジスタＴ１、Ｔ２が電流ミラー回路を形成するので、第１及び第２駆動トランジスタＴ１、Ｔ２には同一な電流が流れるようになる。一方、ストレージキャパシターＣｓｔは、第２駆動トランジスタＴ２に流れる電流量ｉｄに対応するように電圧供給ラインＶＤＤからの電圧を貯藏する。また、ストレージキャパシターＣｓｔは、ゲート信号がオフに転換されて第１及び第２スイッチングトランジスタＴ３、Ｔ４がターンオフされる時、貯藏された電圧を利用して第１駆動トランジスタＴ１をターンオンさせ、発光セルＯＬＥＤにビデオ信号に対応する電流が供給されるようにする。
【００１８】
ここで、従来のデータドライバー２０は、タイミングコントローラ２４から供給されるデータに対応して所定の電流がＰＥセル２２から供給されるように制御する。すなわち、従来のデータドライバー２０は、電流を利用してＰＥセル２２を駆動するようになる。
【００１９】
このため、従来のデータドライバー２０は、複数のデータドライブ集積回路（Ｉｎｔｅｇｒａｔｅｄ  Ｃｉｒｃｕｉｔ；以下、“ＩＣ”という）を具備して、前記複数のデータドライブＩＣのそれぞれは図４のように構成される。
【００２０】
図４を参照すれば、データドライブＩＣは、シフトレジスター４０、第１ラッチ部４２、第２ラッチ部４４及び電流駆動部４６を具備する。
【００２１】
シフトレジスター部４０は、タイミングコントローラ２４から供給されるソーススタートパルスＳＳＰをソースサンプリングクロックＳＳＣに対応して順次シフトさせてサンプリング信号を出力する。
【００２２】
第１ラッチ部４２は、シフトレジスター部４０からのサンプリング信号に応答してタイミングコントローラ２４から供給されるデータｄａｔａをある単位毎に順次サンプリングしてラッチするようになる。このため、第１ラッチ部４２は、ｉ（ｉは自然数）個のデータｄａｔａをラッチするためのｉ個のラッチから構成され、そのラッチのそれぞれはデータｄａｔａのビット数に対応する大きさを有する。第１ラッチ部４２に貯藏されたデータｄａｔａは、第２ラッチ部４４に供給される。
【００２３】
第２ラッチ部４４は、第１ラッチ部４２から供給されるデータｄａｔａを一時貯藏すると共に貯藏されたデータｄａｔａをタイミングコントローラ２４から供給されるソース出力イネーブルＳＯＥ信号に応答して同時に出力する。
【００２４】
電流駆動部４６は、第２ラッチ部４４から入力されるデータに対応する電流がＰＥセル３０から供給されるように制御する。これを図５を参照して詳しく説明すれば、電流駆動部４６のそれぞれは、チャンネルごとに（すなわち、ｉ個）電流駆動ブロック４８を具備する。電流駆動ブロック４８は、第２ラッチ部４４からデータの供給を受けて、供給を受けたデータに対応するガンマ電流信号を利用してＰＥセル３０からデータに対応する電流ｉｄが供給されるように制御する。したがって、それぞれのデータラインＤＬには、所定のビデオ信号（すなわち、電流）に対応する電流ｉｄが供給されてデータｄａｔａに対応する所定の画像が表示されるようになる。
【００２５】
上述したように、従来のＥＬ表示装置は、電流のみを利用してＰＥセル３０を駆動させる。しかし、電流のみを利用してＰＥセル３０を駆動させれば発光セルＯＬＥＤで望む階調の画像が表示されない問題点が発生する。換言すれば、従来のＥＬ表示装置は、データに対応してμＡ単位に変わる電流値を供給する。例えば、データドライブＩＣは１の階調では１μＡの電流が流れるように制御して、２の階調では２μＡの電流が流れるように制御する。しかし、このようにμＡμＡ単位に変わる電流値が１水平期間１Ｈの間供給されれば、ストレージキャパシターＣｓｔには電流に対応する電圧が充電されない。換言すれば、ストレージキャパシターＣｓｔは電流のみを利用してＰＥセル３０を駆動するから制限された時間１Ｈ内の電流に対応する電圧が充電されずに、これにより望む階調の画像が表示されない問題点がある。
【発明の開示】
【発明が解決しようとする課題】
【００２６】
したがって、本発明の目的は電圧を利用して画素セルを予備充電することで望む階調の画像を表示するようにしたエレクトロルミネセンス表示装置及びその駆動方法を提供するものである。
【課題を解決するための手段】
【００２７】
前記目的を達成するために、本発明のエレクトロルミネセンス表示装置は、ゲートラインと、ゲートラインと交差するように形成されたデータラインと、ゲートライン及びデータラインの交差部ごとに形成される画素セルと、１水平期間単位にゲート信号をゲートラインに順次供給するためのゲートドライバーと、１水平期間の第１期間の間、画素セルに電圧信号を供給すると共に第１水平期間の第１期間を除いた第２期間の間、画素セルから電流信号の供給を受ける複数のデータ集積回路とを具備する。
【００２８】
前記第１期間は、第２期間より短く設定される。
【００２９】
前記複数のデータ集積回路のそれぞれは、供給されるデータに対応する電圧信号をデータラインに供給するための電圧駆動部と、データに対応する電流信号が画素セルから供給されるようにする電流駆動部を具備する。
【００３０】
前記電圧信号が生成されるように電圧駆動部に複数の電圧レベルを有するガンマ電圧値を供給するガンマ電圧部をさらに具備する。
【００３１】
前記電圧駆動部は、データ集積回路がｉ（ｉは自然数）チャンネルを有する時、ｉブロック有し、データに対応する電圧信号を生成する電圧駆動ブロックと、電圧駆動ブロックとデータラインそれぞれの間に設置されて外部から供給される制御信号の第１極性によりターンオンされる第１スイッチング部を具備する。
【００３２】
前記電流駆動部は、ｉブロック有し、データに対応して電流信号が供給されるようにする電流駆動ブロックと、電流駆動ブロック及びデータラインそれぞれの間に設置されて制御信号の第２極性によりターンオンされる第２スイッチング部を具備する。
【００３３】
前記制御信号は、第１期間の間、第１極性を維持して、第２期間の間、第２極性を維持する。
【００３４】
前記電圧信号は、画素セルに含まれたストレージキャパシターに充電される。
【００３５】
本発明のエレクトロルミネセンス表示装置の駆動方法は、ゲート信号を供給して特定の水平ラインに設置された画素セルを選択する段階と、第１期間の間、データに対応する電圧値を画素セルに供給して、画素セルを予備充電する段階と、第１期間以後の第２期間の間、画素セルからデータに対応する電流値が流れるようにして、データに対応する画像を表示する段階を含む。
【００３６】
前記第１期間及び第２期間は、１水平期間ごとに繰り返される。
【００３７】
前記第１期間は、第２期間より短く設定される。
【００３８】
本発明のエレクトロルミネセンス表示装置の駆動方法は、ゲートドライバーで１水平期間単位にゲート信号を供給して、特定の水平ラインに設置された画素セルを選択する段階と、１水平期間の第１期間の間、電圧駆動部からのデータに対応する電圧値を画素セルに供給する段階と、１水平期間の第１期間を除いた第２期間の間、電流駆動部からのデータに対応する電流が画素セルから供給されるようにする段階とを含む。
【００３９】
前記電圧値を前記画素セルに供給する段階は、データに対応して複数の電圧値の中からいずれかの電圧値を選択して画素セルで供給する。
【００４０】
前記第１期間は、第２期間より短く設定される。
【発明の効果】
【００４１】
上述したように、本発明に係るエレクトロルミネセンス表示装置及びその駆動方法によれば、ゲート信号が供給される１水平期間の一部期間の間、画素セルに電圧値を供給して画素セルを予備充電する。また、１水平期間の他の期間の間、画素セルからデータに対応する電流値が流れるように制御して、これにより、画素セルにデータに対応する正確な電圧値が充電されるようになる。すなわち、本発明では、電圧値を利用して画素セルを予備充電することで画素セルでデータに対応する階調値を有する光が生成されることができ、これにより画質を向上させることができる。
【発明を実施するための最良の形態】
【００４２】
以下、図６乃至図９を参照して本発明の望ましい実施の形態について説明する事にする。
【００４３】
図６は、ＥＬ表示装置のデータドライバーに複数含まれるデータドライブ集積回路を示す図面である。
【００４４】
図６を参照すれば、本発明の実施の形態に係るデータドライブＩＣは、シフトレジスター部５０、第１ラッチ部５２、第２ラッチ部５４及び駆動部５６を具備する。
【００４５】
シフトレジスター部５０は、図示されないタイミングコントローラからソーススタートパルスＳＳＰをソースサンプリングクロックＳＳＣに対応して順次シフトさせてサンプリング信号を出力する。ここで、シフトレジスター部５０は、データドライブＩＣがｉ（ｉは自然数）個のチャンネルを有する場合、ｉ個のサンプリング信号を出力するためにＩ個のシフトレジスターを具備する。
【００４６】
第１ラッチ部５２は、シフトレジスター部５０からのサンプリング信号に応答してタイミングコントローラから供給されるデータｄａｔａをある単位ごとに順次サンプリングしてラッチする。このため、第１ラッチ部５２は、ｉ個のデータｄａｔａをラッチするためのｉ個のラッチから構成され、そのラッチのそれぞれはデータｄａｔａのビット数に対応する大きさを有する。第１ラッチ部５２に貯藏されたデータｄａｔａは第２ラッチ部５４に供給される。
【００４７】
第２ラッチ部５４は、第１ラッチ部５２から供給されるデータｄａｔａを一時貯藏すると共に貯藏されたデータｄａｔａをタイミングコントローラから供給されるソース出力イネーブルＳＯＥ信号に応答して同時に出力する。
【００４８】
駆動部５６は、タイミングコントローラから供給される制御信号ＣＳに応答して電流信号（ビデオ信号）及び電圧信号の中からいずれかの信号をデータラインＤＬに供給する。ここで、データラインＤＬで電流信号が供給される時、実際に電流はＰＥセルから駆動部５６の方に流れるようになる。また、データラインＤＬに供給される電圧信号は、ＰＥセル供給されてＰＥセルを予備充電させる。
【００４９】
このため、駆動部５６は、電流駆動部５８及び電圧駆動部６０を具備する。電流駆動部５８は、データに対応する電流がＰＥセルから供給されるように制御することでＰＥセルでデータに対応する画像が表示されるようにする。電圧駆動部６０は、データに対応する電圧をＰＥセルで供給してＰＥセルにデータに対応する電圧値が予備充電されるようにする。
【００５０】
このため、電圧駆動部６０は、図示されないガンマ電圧部から電圧ガンマ信号の供給を受ける。実際に、ガンマ電圧部は、データに対応するように互いに異なる電圧値を有する複数の電圧ガンマ信号を電圧駆動部６０に供給し、電圧駆動部６０は、複数の電圧ガンマ信号の中でデータに対応する電圧ガンマ信号をデータラインＤＬに供給する。
【００５１】
一方、電流駆動部５８のそれぞれは、図７のように、チャンネル数と同一なｉ個の電流駆動ブロック６２及び第１スイッチング部６４を具備する。ｉ個の電流駆動ブロック６２は、第１スイッチング部６４を経由してｉ個のデータラインＤＬとそれぞれ接続される。また、電圧駆動部６０のそれぞれは図７のようにチャンネル数と同一なｉ個の電圧駆動ブロック６６及び第２スイッチング部６８を具備する。ｉ個の電圧駆動ブロック６６は第２スイッチング部６８を経由してｉ個のデータラインＤＬとそれぞれ接続される。
【００５２】
電流駆動ブロック６２は、第２ラッチ部５４から供給されるデータに対応するように電流ガンマ信号を選択して、選択された電流ガンマ信号を利用してＰＥセルからデータに対応する電流が供給されるように制御する。電圧駆動ブロック６６は、第２ラッチ部５４から供給されるデータに対応するようにガンマ電圧部から供給される複数の電圧ガンマ信号の中からいずれかを選択して、選択された電圧ガンマ信号をデータラインＤＬに供給することでＰＥセルが予備充電されるように制御する。
【００５３】
第１スイッチング部６４は、供給される制御信号ＣＳの第１極性（例えば、ロー）に対応してデータラインＤＬと電流駆動ブロック６２を電気的に接続させる。この時、データラインＤＬには、電流駆動ブロック６２の制御により所定の電流値が流れるようになる。第２スイッチング部６８は、供給される制御信号ＣＳの第２極性（例えば、ハイ）に対応してデータラインＤＬと電圧駆動ブロック６６を電気的に接続させる。この時、データラインＤＬには、電圧駆動ブロック６６の制御により所定の電圧値が供給される。
【００５４】
一方、制御信号ＣＳは、図８に示されるように、１水平期間１Ｈの周期を有してハイ及びローを繰り返す。ここで、制御信号ＣＳが第２極性（ハイ）を有する第１期間Ｔ１、第２スイッチング部６８がターンオンされてデータラインＤＬにはデータに対応する電圧ガンマ信号が供給される。この時、ＰＥセルは、データに対応する電圧ガンマ信号（すなわち、電圧値）を予備充電（ＶＤ；電圧）するようになる。また、制御信号ＣＳが第１極性（ロー）を有する第２期間Ｔ２、第１スイッチング部６４がターンオンされてデータラインＤＬにはデータに対応する電流値が流れるようになる。この時、ＰＥセルには、データに対応する電圧値が充電（ＣＤ；電流）されると共にデータに対応する画像が表示される。
【００５５】
一方、第１期間Ｔ１は、第２期間Ｔ２より短く設定される。換言すれば、本発明では、１水平期間１Ｈの中、短く設定された第１期間Ｔ１には電圧値をＰＥセルに予備充電と共に１水平期間１Ｈの中、長く設定された第２期間Ｔ２には電流が供給されるようにすることでＰＥセルに望む電圧を充電すると共にデータに対応する画像を表示することができる。
【００５６】
このような本発明のＥＬ表示装置の詳細な動作過程を図９を参照して詳しく説明する事にする。
【００５７】
まず、ゲートドライバー７２からゲート信号が供給されて特定の水平ラインに形成されたＰＥセル７０が選択される。ここで、ＰＥセル７０の詳細な構成は、図３と同一なので詳細な説明は略する事にする。ゲート信号が供給されれば第１及び第２スイッチングトランジスタＴ３、Ｔ４がターンオンされる。
【００５８】
この時、図８に示されるように、１水平期間１Ｈの最初の第１期間Ｔ１には第２スイッチング部６８がターンオンされる。したがって、電圧駆動ブロック６６からデータに対応する電圧ガンマ信号がデータラインＤＬに供給される。この時、第１及び第２スイッチングトランジスタＴ３、Ｔ４がターンオンされるので、電圧ガンマ信号は、第１及び第２スイッチングトランジスタＴ３、Ｔ４を経由してストレージキャパシターＣｓｔに充電されるようになる。すなわち、本発明では、第１期間Ｔ１の間、ストレージキャパシターＣｓｔにデータに対応する電圧値を予備充電するようになる。
【００５９】
以後、第２期間Ｔ２の間、第２スイッチング部６８がターンオフされると共に第１スイッチング部６４がターンオンされる。すなわち、第１及び第２スイッチング部６４、６８は交互にターンオンされる。第１スイッチング部６４がターンオンされると、電流駆動ブロック６２が第１スイッチング部６４、データラインＤＬ及び第１及び第２スイッチングトランジスタＴ３、Ｔ４を経由して第１及び第２駆動トランジスタＴ１、Ｔ２のゲート端子と電気的に接続される。この時、第１及び第２駆動トランジスタＴ１、Ｔ２がターンオンされる。第２駆動トランジスタＴ２がターンオンされると、電圧供給ラインＶＤＤから供給される電流が第１スイッチングトランジスタＴ３を経由して電流駆動ブロック６２に供給される。ここで、第１スイッチングトランジスタＴ３を経由して流れる電流は、電流駆動ブロック６２に入力されるデータに対応して選択された電流ガンマ信号により決まる。
【００６０】
一方、第１及び第２駆動トランジスタＴ１、Ｔ２が電流ミラー回路を形成するから第１駆動トランジスタＴ１にも同一な電流が流れるようになる。したがって、発光セルＯＬＥＤは、第１駆動トランジスタＴ１から供給される電流に対応する輝度の光を発光することで所定の画像がパネル７４上に表示されるようにする。また、ストレージキャパシターＣｓｔは、第２駆動トランジスタＴ２で流れる電流量に対応するように所定の電圧が貯藏される。ここで、ストレージキャパシターＣｓｔは、第１期間Ｔ１の間、データの電圧が予備充電されるから電流量に対応する十分な電圧が充電される。また、ストレージキャパシターＣｓｔは、ゲート信号がオフに転換されて第１及び第２スイッチングトランジスタＴ３、Ｔ４がターンオフされる時、貯藏された電圧を利用して第１駆動トランジスタＴ１をターンオンさせ、発光セルＯＬＥＤにビデオ信号に対応する電流が供給されるようにする。
【００６１】
すなわち、本発明では、１水平期間１Ｈの一部期間の予備充電期間の間、電圧値を利用してＰＥセル７０を充電することで、ＰＥセル７０にデータに対応する電圧値が充電されるようにする。以後、１水平期間１Ｈの他の期間の間、データに対応する電流値がＰＥセル７０で流れるように制御することで、ＰＥセル７０にデータに対応する正確な電圧値が充分に充電されるようにする。したがって、本発明では、発光セルＯＬＥＤに望む階調の画像が表示されることができ、これにより、画質を向上させることができる。
【００６２】
以上説明した内容を通じて当業者であれば、本発明の技術思想を逸脱しない範囲内で多様な変更及び修正ができる。したがって、本発明の技術的範囲は明細書の詳細な説明に記載した内容に限定されるのではなく特許請求の範囲により決められなければならない。
【図面の簡単な説明】
【００６３】
【図１】一般的なエレクトロルミネセンス表示パネルの有機発光セルを示す断面図である。
【図２】従来のエレクトロルミネセンス表示装置を示す図面である。
【図３】図２に図示された画素セルＰＥを等価的に示す回路図である。
【図４】図２に図示されたデータドライバーに含まれるデータ集積回路を示す図面である。
【図５】図４に図示された電流駆動部の構成を示す図面である。
【図６】本発明の実施の形態に係るデータ集積回路を示す図面である。
【図７】図６に図示された電流駆動部及び電圧駆動部の構成を示す図面である。
【図８】図７に図示された制御信号の極性を示す図面である。
【図９】画素セルと接続された電流駆動部及び電圧駆動部を示す図面である。
【符号の説明】
【００６４】
２  陰極  ４  電子注入層  ６  電子輸送層  ８  発光層  １０  正孔輸送層  １２  正孔注入層  １４  陽極  １６  ＥＬ表示パネル  １８、７２  ゲートドライバー  ２０  データドライバー  ２２、７０  画素セル  ２４  タイミングコントローラ  ３０   発光セル駆動回路  ４０、５０  シフトレジスター部  ４２、４４、５２、５４  ラッチ部  ４６、５８  電流駆動部  ４８、６２  電流駆動ブロック  ５６  駆動部  ６０  電圧駆動部  ６４、６８  スイッチング部  ６６  電圧駆動ブロック。
【図１】
2005196116.tif 000003
【図２】
2005196116.tif 000004
【図３】
2005196116.tif 000005
【図４】
2005196116.tif 000006
【図５】
2005196116.tif 000007
【図６】
2005196116.tif 000008
【図７】
2005196116.tif 000009
【図８】
2005196116.tif 000010
【図９】
2005196116.tif 000011